(57)【要約】      （修正有）【課題】液体イオン色素の分離化工による三色体の信号機を提供する。【解決手段】青色は（−イオン）、赤色は（＋イオン）並びに黄緑色は（＋と−イオン）の三色体の信号機において、硫酸液に含まれる（＋と−イオン）色素の成分に水を混入させて自然の分離反応の自然の集交化工による三色体の青色の（−と−イオン）は青光を出し合い、赤色の（＋と＋イオン）は赤光を出し合い、黄緑色の（＋・−と＋・−イオン）は黄緑光を出し合う。【選択図】なし【特許請求の範囲】
【請求項１】
液体イオン色素の分離化工による三色体の信号機に関する。
本発明は災害時においても、電源無しでも信号機能作用にする硫酸液体の中に含まれる（＋と−イオン）の色素の成分を分離反応化工による三色体の（−イオン）は青色光、（＋イオン）は赤色光、（＋と−イオン）は黄緑色光の三色体の信号機の作用に電源無しの災害時でも信号機の作用に重大な事故を防ぐ効果の有る発明を提供することに液体の中に含まれる（＋と−イオン）色素の分離反応を自然に合体してそれぞれの光を放ちながら化工させる（−と−イオン）同志が青色光を出し合い時に感電はあるが、集交して光を放つが、熱は出ない。（＋と＋イオン）同志が赤色光を出し合い時に感電は無いが集交して熱が生じる。（＋−と＋−イオン）同志が黄緑色光を出し合い時に感電は無く、熱も無く、集交して取り付く。
分離反応する化工に平らな容器に少量の水を張り、器の中に少量の硫酸液をたらして混ぜ合わすと自然に集交してそれぞれのイオン同志が合体して光を放つ分離反応する化工の三色体の信号機の提供に従来の問題点、課題を解決させる手段にした三色
2020205227.tif 000005
にスポンジに液と水を注ぐ事が出来る。危険性は無く、長期性が有り、耐久性が有り、安全で有る。従来は電源による三色体で有ったか本発明は液体による三色体を得る相違点にはかった事に硫酸液と水を混合させて自然の集交に分離反応して自然化工の三色体にした信号機は災害時においても貢献出来る。
【請求項２】
硫酸液に含まれる（＋と−イオン）色素の成分に水を混入させて自然の分離反応の自然の集交化工による三色体の青色は（−イオン）赤色は（＋イオン）黄緑色は（＋と−イオン）に成る三色体の青色の（−と−イオン）は青光を出し合い。赤色の（＋と＋イオン）は赤光を出し合い。黄緑色の（＋、−と＋、−イオン）は黄緑光を出し合いする。三色体の信号機。
＋、−イオン）は黄緑光を出し合いする。三色体の信号機。
【発明の詳細な説明】
【技術分野】
【０００１】本発明は液体中に含まれるイオン色素の成分を分離して化工反応による三色体の青（−イオン）赤（＋イオン）黄、緑（＋、イオン、−イオン）に成分を分離反応化工にした三色体信号機に関する。
【背景技術】
【０００２】従来の信号機に設置されている三色体は電源による物質成分に電流を通して化工反応させた三色体の信号機で有る。
従来は電源による三色体で有った。
【先行技術文献】
【特許文献】
【０００３】
【特許文献１】（文献公知）に信号機には電源によるダイオードの物質成分に電流を通して分離反応化工の青と赤と黄の三色体信号機。
【非特許文献】
【０００４】
【非特許文献１】［文献公知］に電源による発射装置によりレーザー光線色を発する文献。
【０００５】従来は電源による三色体で有ったが、本発明は液体による三色体を得るための相違点が有った。従来には液体による文献にした文言は見当ら無かった。
【発明の詳細な説明】
本発明は三色体の信号機能作用をする硫酸液に含まれるイオン色素の成分を自然に集交して分離反応に自然化工による三色体の青色−光イオンと赤色＋、光イオンと黄緑＋、−光イオンにする水を混入して自然集交分離化工のする三色体の信号機に関する。
【技術分野】
【０００１】本発明は電源無しでも三色体の信号機能作用の出来る硫酸液に含まれる＋と−、イオン色素の成分に水を混入して自然に分離反応して自然の集交化工による三色体の青色光−、イオンは感電が有るが、熱は生じ無い。赤色光＋、イオンは感電と熱が生じる。黄緑光＋と−イオンは感電と熱はなく物に付く。の三色体にさせた信号機能作用に従来の電源による三色体では無く。本発明は硫酸液と水による混入により、自然分離反応の自然集交化工に三色体の信号機能作用に電源無しの三色体の信号機の効果の有る発明を提供する。
従来は電源による三色体で有るが、本発明は硫酸液と水による三色体を得る相違点が有る。
【背景技術】
【０００２】従来は信号機に設置されている電源によるタイオード物質成分に電流を通して三色体を信号機に設置しているが、災害時において送電が止まると信号機能作用を失なう問題点が有り、重大な事故に成る恐れが有る欠点が有った。
従来の電源による信号機は電気の送電が止まると信号機能作用を失なう欠点、問題点の課題が有った。
【発明の概要】
【発明が解決しようとする課題】
【課題】
従来の信号機に設置されている電源によるダイオード物質成分に電流を通して分離反応化工に青と赤と黄の三色体を信号機に設置しているが、災害時に事故が起ると信号機能を失なう問題点が有り、重大な事故に成る恐れが有る欠点が有った。
電源による信号機は電気の送電が止まり無く成ると、信号機能を失なう問題点、課題が有った。
【課題解決】
災害時でも、電源無しでも信号機能作用をする液体中に含まれるイオン色素の成分の分離反応化工による三色体の青（−）赤（＋）黄緑（＋、−）の光線を出し合いする三色体の信号機を提供することに三色体の分離反応する化工に平らな容器に少量の水を張り器の中に少量の硫酸液をたらして混ぜ合わすと自然に集交してそれぞれのイオン同志が合体して光を放つ分離反応する化工の三色体の信号機の提供に従来の問題点、課題を解決する手段の三色体の信号機の提供で有る。従来は電源よる三色体で有っ
2020205227.tif 000002
と水を混合させて自然の集交に分離反応して自然化工の三色体にした信号機は災害時においても貢献出来る。
【実施例】硫酸液に含まれる（＋と−イオン）色素の成分に水を混入させて自然の分離反応の自然の集交化工による三色体の青色は（−光イオン）赤色は（＋光イオン）黄緑色は（＋と−光イオン）に成る三色体の青色の（−と−イオン）は青光を出し合い。赤色の（＋と＋イオン）は赤光を出し合い。黄緑色の（＋、−と＋、−イオン）は黄緑光を出し合いする。三色体の信号機。
【課題を解決するための手段】
液体イオン色素の分離化工による三色体の信号機に関する。
【実施例】１、
本発明は災害時においても、電源無しでも信号機能作用にする硫酸液体の中に含まれる（＋と−イオン）の色素の成分を分離反応化工による三色体の（−イオン）は青色光、（＋イオン）は赤色光（＋と−イオン）は黄緑色光の三色体の信号機の作用に電源無しの災害時でも信号機の作用に重大な事故を防ぐ効果の有る発明を提供することに、液体の中に含まれる（＋と−イオン）色素の分離反応を自然に合体してそれぞれの光を放ちながら化工させる（−と−イオン）同志が青色光を出し合い時に感電はあるが、集交して光を放つが熱は出ない。（＋と＋イオン）同志が赤色光を出し合い時に感電はないが、集交して熱が生じる。（＋−と＋−イオン）同志が黄緑色光を出し合い時に感電はなく、熱もなく、集交して取り付く。分離反応する化工に平らな容器に少量の水を張り、器の中に少量の硫酸液をたらして混ぜ合わすと自然に集交してそれぞれのイオン同志が合体して光を放つ分離反応する化工の三色体の信号機の提供に従来の問題点、課題を解決させる手段にした三色体の信号機を提供する事に長期間の補給に毛細四管現象にスポンジに液と水を注ぐ事が出来る。危険性は無く、長期性が有り、耐久性が有り、安全で有る。従来は電源による三色体で有ったが本発明は液体による三色体を得る相違点にはかった事に硫酸液と水を混合させて自然の集交に分離反応して自然化工の三色体にした信号機は災害時においても貢献出来る。
【実施例２】硫酸液に含まれる（＋と−イオン）色素の成分に水を混入させて自然の分離反応の自然の集交化工による三色体の青色の（−と−イオン）は青光を出し合い。赤色の（＋と＋イオン）は赤光を出し合い。黄緑色の（＋・−と＋・−イオン）は黄緑光を出し合いする。青色は（−イオン）赤色は（＋イオン）黄緑色は（＋と−イオン）の三色体の信号機。
【発明の効果】
本発明は信号機能作用に硫酸液に含む（＋と−イオン）の色素の成分を自然分離反応の自然集交化工に水を混入させた三色体の信号機能作用に従来は電源によるダイオード物質成分に電気を通して三色体を得ているが、災害時において電源が止まると三色体の機能作用は無く。電源とは異なる相違点の有る電源無しに三色体の機能作用にした従来の電源とは異なる相違点。
【実施例】硫酸液に含まれる（＋と−イオン）色素の成分に水を混入させて自然の分離反応の自然の集交化工による三色体の青色は（−光イオン）赤色は（＋光イオン）黄緑色は（＋と−光イオン）に成る三色体の信号機の提供に従来の電源による三色体とは異なる本発明は硫酸液と水を混入による三色体を得る効果の有る自然分離反応に青色の（−と−イオン）は青光を出し合い。赤色の（＋と＋イオン）は赤光を出し合い。黄緑色の（＋−と＋−イオン）は黄緑光を出し合いする自然集交化工の三色体の光を出し合いさせた効果の有る発明で有る。
【発明を実施するための最良の形態】
【実施例】本発明は硫酸液に含まれる成分の（＋と−イオン）色素の自然分離反応の自然集交化工による青色光は（−と−イオン）は青光を出し合い。
赤色光は（＋と＋イオン）は赤光を出し合い。黄緑光は（＋、−と＋、−イオン）は黄緑光を出し合い。に水を染みらせたスポンジの水を平らな容器に注ぎ、硫酸液を染みらせたスポンジの硫酸液を同時平らな容器に注ぎ、混ぜ合わさると自然分離反応の自然集交化工の青色光は（−と−イオン）赤色光は（＋と＋イオン）黄緑色光は（＋、−と＋、−イオン）の自然分離反応の自然集交化工に相い互いに光線を出し合う青と赤と黄緑の光を出す三色体の信号機。
【実施例】１、
硫酸液と水の混入に自然分離反応の（−と−イオン）の出し合う光の青色光に成るが、感電はあるが熱は生じ無い。自然集交化工の青色光に成る。
【実施例】２、
硫酸液と水の混入に自然分離反応の（＋と＋イオン）の出し合う光の赤色光に成るが、感電は少ないが熱は生じる自然集交化工の赤色光に成る。
【実施例】３、
2020205227.tif 000003
光の黄緑色光に成るが、感電と熱は生じ無いが、自然集交化工の黄緑色光に成る。
［本発明の量良の形態］に実施例の記載に自然分離反応して自然集交化工の光を長期にするスポンジに網の目状に染み込みした毛細皿管現象に注ぎ込れながら長期に光を保つ事が出来る。
【実施例】４、
硫酸液に含まれる（＋と−イオン）色素の成分に水を混入させて自然の分離反応の自然の集交化工による三色体の青色は（−光イオン）赤色は（＋光イオン）黄緑色は（＋、−光イオン）に成る三色体の青色の（−と−イオン）は青光を出し合い。赤色の（＋と＋イオン）は赤光を出し合い。黄緑色の（＋−と＋−イオン）は黄緑光を出し合いする。三色体の信号機。
【産業上の利用可能性】災害時において電源が切れて無くしても信号機能作用する液体中のイオン色素の分離反応化工による三色体の信号機能作用を電源無しに信号機の作用により重大な事故を防げる効果の有る液体イオン色素の三色体の信号機を提供することに
2020205227.tif 000004
な信号機の実用化は（可能。）で有り、従来は電源による三色体で有ったが本発明は液体による三色体を得る相違点にはかった事に硫酸液と水を混入させて自然の集交に分離反応して自然化工の三色体にした信号機は災害時においても貢献出来る。
【図面の簡単な説明】（液体イオン色素の分離化工による三色体の信号機）に関する。
（付号の説明）図１断面図
（１）水蓋
（２）水スポンジ毛細皿管現象（網の目状）
（３）水タンク吸上げスポンジ水槽
（４）水溜吸上げスポンジ
（５）水タンク吸上げスポンジ水槽
（６）水溜吸上スポンジ
（７）硫酸蓋
（８）硫酸液スポンジ毛細皿管現象（網の目状）
（９）硫酸溜吸上スポンジ液槽タンク
（１０）硫酸溜吸上スポンジ毛細皿管（網の目状）
（１１）硫酸溜吸上げスポンジ液槽タンク
（１２）硫酸溜吸上げスポンジ毛細皿管現象（網の目状）
（１３）吸上げ硫酸液とスポンジ
（１４）硫酸液スポンジの液滴
（１５）硫酸液スポンジの液滴
（１６）硫酸液スポンジの液滴
（１７）吸上げ水とスポンジ
（１８）水スポンジの水滴
（１９）水スポンジの水滴
（２０）水スポンジの水滴
（２１）水液混合イオンスポンジ（＋イオン）赤
（２２）水液混合イオンスポンジ（＋、−イオン）黄緑
（２３）水液混合イオンスポンジ（−イオン）青
（２４）水液混合イオンスポンジ（−イオン）青
（２５）水液混合イオンスポンジ（＋、−イオン）黄緑
（２６）水液混合イオンスポンジ（＋イオン）赤
（２７）＋集交イオン（赤）
（２８）＋、−集交イオン（黄緑）
（２９）−集交イオン（青）
（３０）−集交イオン（青）感電は有るが熱は生じ無い。（青色光）
（３１）＋、−集交イオン（黄緑）物に付くが感電、熱は無い。（黄緑色光）
（３２）＋集交イオン（赤）感電、熱は生じる。（赤色光）
（付号の説明）図２斜視図（図２−２）
（１）水槽タンク器機
（２）硫酸液槽タンク器機
（３）−イオン（青）
（４）＋、−イオン（黄緑）
（５）＋イオン（赤）
（６）−混合イオン（青色光）
（７）＋、−混合イオン（黄緑光）
（８）＋混合イオン（赤色光）
（図２−２）
（９）目かくしタイマーモーター
（１０）目かくしタイマーモーター付き回転目かくしフィルム
（付号の説明）図３斜視図
（１）目かくしタイマーモーター
（２）モーター回転フィルム
（３）信号機目かくし回転フィルム
（４）−混合イオン（青色光）目かくし回転フィルム
（５）＋、−混合イオン（黄緑光）目かくし回転フィルム
（６）＋混合イオン（赤色光）目かくし回転フィルム
【実施例】硫酸液に含まれる（＋と−イオン）色素の成分に水を混入させて自然の分離反応の自然の集交化工による三色体の青色は（＋イオン）赤色は（＋イオン）黄緑色は（＋、−イオン）に成る三色体の青色の（−と−イオン）は青光を出し合い。赤色の（＋と＋イオン）は赤光を出し合い。黄緑色の（＋、−と＋、−イオン）は黄緑光を出し合いする三色体の信号機。
【図１】
2020205227.tif 000006
【図２】
2020205227.tif 000007
【図３】
2020205227.tif 000008